(57)【要約】  １本のデータ信号線に対応する映像データ（１、２・・・）が順次入力される液晶パネル駆動装置であって、一定期間に入力される複数の映像データを出力順に並べるとともに所定箇所にダミーデータ（Ｄ）を挿入してデータ列とし、１つの映像データの出力に一水平走査期間（ＨｔｏｔａｌＹ）を割り当てるとともに、１つのダミーデータの出力にダミー走査期間（ＤｔｏｔａｌＹ）を割り当て、上記一水平走査期間（ＨｔｏｔａｌＹ）を映像データの入力間隔（ＨｔｏｔａｌＸ）よりも短く設定する。こうすれば、入力される映像データにダミーデータを挿入し、これにダミー走査期間を割り当てながら垂直表示期間の増加を抑えることができる。
2008152857.tif 000002
【特許請求の範囲】
【請求項１】
１本のデータ信号線に対応する映像データが間隔をおいて順次入力される液晶パネル駆動装置であって、
複数の映像データごとに組とするとともに該組内の所定箇所にダミーデータを挿入し、ダミーデータに対応する信号電位の出力にダミー走査期間を割り当て、各映像データに対応する信号電位の出力に一水平走査期間を割り当て、該一水平走査期間を上記間隔よりも短く設定することを特徴とする液晶パネル駆動装置。
【請求項２】
１組の映像データの数と上記間隔との積が、該組におけるダミーデータに割り当てられた総ダミー走査期間と上記映像データに割り当てられた総水平走査期間との和に等しいことを特徴とする請求項１記載の液晶パネル駆動装置。
【請求項３】
各組の先頭にダミーデータを挿入することを特徴とする請求項１または２に記載の液晶パネル駆動装置。
【請求項４】
１つの組の各映像データおよびダミーデータに対応する信号電位の極性はすべて同一であって、これが第１の極性であれば、次の組の各映像データおよびダミーデータに対応する信号電位の極性はすべて第２の極性であることを特徴とする請求項１〜３のいずれか１項に記載の液晶パネル駆動装置。
【請求項５】
映像データに対応する信号電位を、該映像データに対応する走査信号線の走査に合わせて上記データ信号線に出力し、ダミーデータに対応する信号電位を、その直後の映像データに対応する走査信号線の走査に合わせて上記データ信号線に出力するか、あるいはその直前の映像データに対応する走査信号線の走査とその直後の映像データに対応する走査信号線の走査との間に上記データ信号線に出力し、各組の映像データの並びに従って走査信号線を順次走査することを特徴とする請求項１〜４のいずれか１項に記載の液晶パネル駆動装置。
【請求項６】
映像データに対応する信号電位を、該映像データに対応する走査信号線の走査に合わせて上記データ信号線に出力し、ダミーデータに対応する信号電位を、その直後の映像データに対応する走査信号線の走査に合わせて上記データ信号線に出力するか、あるいはその直前の映像データに対応する走査信号線の走査とその直後の映像データに対応する走査信号線の走査との間に上記データ信号線に出力し、各組の映像データの並びに従って走査信号線を飛び越し走査することを特徴とする請求項１〜４のいずれか１項に記載の液晶パネル駆動装置。
【請求項７】
上記水平走査期間およびダミー走査期間に基づいて、上記映像データに対応する信号電位およびダミーデータに対応する信号電位の出力タイミングを制御する信号と、映像データに対応する走査信号線へのゲートオンパルスの供給タイミングを制御する信号とを生成することを特徴とする請求項１〜６のいずれか１項に記載の液晶パネル駆動装置。
【請求項８】
１本のデータ信号線に対応する映像データが間隔をおいて順次入力される液晶パネル駆動装置であって、
複数の映像データごとに組とし、各組の所定の映像データに対応する信号電位の出力に、一水平走査期間に加えて１以上のダミー走査期間を割り当て、同組のその他の各映像データに対応する信号電位の出力に一水平走査期間を割り当て、
上記一水平走査期間を上記間隔よりも短く設定することを特徴とする液晶パネル駆動装置。
【請求項９】
１つの組の映像データ数と上記間隔との積が、該組における上記所定の映像データに割り当てられた総水平走査期間と上記所定の映像データに割り当てられた総ダミー走査期間と上記その他の映像データに割り当てられた総水平走査期間との和に等しいことを特徴とする請求項８記載の液晶パネル駆動装置。
【請求項１０】
上記各組の所定の映像データは、各組の最初の映像データであることを特徴とする請求項８または９に記載の液晶パネル駆動装置。
【請求項１１】
１つの組の各映像データに対応する信号電位の極性はすべて同一であって、これが第１の極性であれば、次の組の各映像データに対応する信号電位の極性はすべて第２の極性であることを特徴とする請求項８〜１０のいずれか１項に記載の液晶パネル駆動装置。
【請求項１２】
上記映像データに対応する信号電位を、該映像データに対応する走査信号線の走査に合わせて出力し、各組の映像データの並びに従って走査信号線を順次走査することを特徴とする請求項８〜１１のいずれか１項に記載の液晶パネル駆動装置。
【請求項１３】
上記映像データに対応する信号電位を、該映像データに対応する走査信号線の走査に合わせて出力し、各組の映像データの並びに従って走査信号線を飛び越し走査することを特徴とする請求項８〜１１のいずれか１項に記載の液晶パネル駆動装置。
【請求項１４】
上記各組の所定の映像データには、各組の最初の映像データに加え、それ以外の映像データも含まれていることを特徴とする請求項８または９に記載の液晶パネル駆動装置。
【請求項１５】
上記ダミー走査期間を上記間隔よりも短く設定することを特徴とする請求項１〜１４のいずれか１項に記載の液晶パネル駆動装置。
【請求項１６】
上記ダミー走査期間を一水平走査期間に等しくすることを特徴とする請求項１〜１５のいずれか１項に記載の液晶パネル駆動装置。
【請求項１７】
上記ダミー走査期間を一水平走査期間よりも短くすることを特徴とする請求項１〜１５のいずれか１項に記載の液晶パネル駆動装置。
【請求項１８】
上記ダミー走査期間を一水平走査期間よりも長くすることを特徴とする請求項１〜１５のいずれか１項に記載の液晶パネル駆動装置。
【請求項１９】
１本のデータ信号線に対応する映像データが間隔をおいて順次入力される液晶表示装置を駆動するための、液晶表示装置の駆動方法であって、
複数の映像データごとに組とし、各組の所定の映像データに対応する信号電位の出力に、一水平走査期間に加えて１以上のダミー走査期間を割り当て、同組のその他の各映像データに対応する信号電位の出力に一水平走査期間を割り当て、上記一水平走査期間を上記間隔よりも短く設定することを特徴とする液晶表示装置の駆動方法。
【請求項２０】
１つの組における上記所定の映像データに割り当てられた総水平走査期間と上記所定の映像データに割り当てられた総ダミー走査期間と上記その他の映像データに割り当てられた総水平走査期間との和を、該組における映像データ数と上記間隔との積に一致させることを特徴とする請求項１９記載の液晶表示装置の駆動方法。
【請求項２１】
１組の総水平走査期間の数がＭであるときに、該組の総ダミー走査期間の数、一水平走査期間、およびダミー走査期間の組み合わせを決定するため、
ａを１以上の整数をとる変数とし、Ｍとａとの和をＡとし、上記間隔とＭの積をＡで割ったものをＢとして、Ｂが所定値以上か否かを判断する第１の工程と、
第１の工程でＢが所定値以上であれば、Ｂの小数点以下を切り捨てた整数ＤとＡの積をＥとし、上記間隔とＭとの積からＥを引いたものをＰとし、Ｐをａで割ったものをＦとして、Ｆが整数か否かを判断する第２の工程と、
第２の工程でＦが整数であれば、ａが、Ｍにおける充電特性から得られる必要最小限のダミー走査期間数以上であるかを判断する第３の工程と、
第３の工程で、ａが、上記必要最小限のダミー走査期間数以上であれば、ダミー走査期間数＝ａ、一水平走査期間＝Ｄ、およびダミー走査期間＝Ｄ＋Ｆとして該組み合わせを保存する第４の工程と、
ａを変化させて上記各工程を繰り返すことで得られた組み合わせの中から１つを選択する第５の工程と、を行うことを特徴とする請求項１〜２０のいずれか１項に記載の液晶パネル駆動装置。
【請求項２２】
１本のデータ信号線に対応する映像データが順次入力される液晶パネル駆動装置であって、一定期間に入力される複数の映像データを出力順に並べるとともに所定箇所にダミーデータを挿入してデータ列とし、１つの映像データの出力に一水平走査期間を割り当てるとともに、１つのダミーデータの出力にダミー走査期間を割り当て、上記一水平走査期間を映像データの入力間隔よりも短く設定することを特徴とする液晶パネル駆動装置。
【請求項２３】
上記一定期間は、上記データ列に含まれる映像データの数と一水平走査期間との積に、該データ列に含まれるダミーデータの数とダミー走査期間との積を加えたものに等しいことを特徴とする請求項２２記載の液晶パネル駆動装置。
【請求項２４】
上記一定期間は、一垂直走査期間から垂直ブランキング期間を除いた期間に等しいことを特徴とする請求項２２または２３記載の液晶パネル駆動装置。
【請求項２５】
上記データ列は時系列に沿って並ぶ複数の組からなり、各組にはダミーデータを先頭として複数の映像データが並び、連続する２つの組の一方に含まれるダミーデータおよび映像データに対応する信号電位が第１極性、他方に含まれるダミーデータおよび映像データに対応する信号電位が第２極性となっていることを特徴とする請求項２２〜２４のいずれか１項に記載の液晶パネル駆動装置。
【請求項２６】
上記出力順は、走査信号線の順次走査あるいは飛び越し走査に対応したものであることを特徴とする請求項２２〜２５のいずれか１項に記載の液晶パネル駆動装置。
【請求項２７】
映像データに対応する信号電位を、該映像データに対応する走査信号線の走査に合わせて上記データ信号線に出力し、ダミーデータに対応する信号電位を、その直前の映像データに対応する走査信号線の走査とその直後の映像データに対応する走査信号線の走査との間に上記データ信号線に出力することを特徴とする請求項２５に記載の液晶パネル駆動装置。
【請求項２８】
ダミーデータに対応する信号電位は、それより後の直近の映像データに対応する信号電位に等しいことを特徴とする請求項２５に記載の液晶パネル駆動装置。
【請求項２９】
請求項１〜２８のいずれか１項に記載の液晶パネル駆動装置を備えることを特徴とする液晶表示装置。
【請求項３０】
１本のデータ信号線に対応する映像データが間隔をおいて順次入力される液晶表示装置を駆動するための、液晶表示装置の駆動方法であって、
複数の映像データごとに組とするとともに該組内の所定箇所にダミーデータを挿入し、ダミーデータに対応する信号電位の出力にダミー走査期間を割り当て、各映像データに対応する信号電位の出力に一水平走査期間を割り当て、上記一水平走査期間を上記間隔よりも短く設定することを特徴とする液晶表示装置の駆動方法。
【請求項３１】
１つの組において上記ダミーデータに割り当てられた総ダミー走査期間と上記映像データに割り当てられた総水平走査期間との和を、該組における映像データ数と上記間隔との積に一致させることを特徴とする請求項３０記載の液晶表示装置の駆動方法。
【請求項３２】
１本のデータ信号線に対応する映像データが順次入力される液晶表示装置を駆動するための、液晶表示装置の駆動方法であって、一定期間に入力される複数の映像データを出力順に並べるとともに所定箇所にダミーデータを挿入してデータ列とし、１つの映像データの出力に一水平走査期間を割り当てるとともに、１つのダミーデータの出力にダミー走査期間を割り当て、上記一水平走査期間を映像データの入力間隔よりも短く設定することを特徴とする液晶表示装置の駆動方法。
【請求項３３】
上記一定期間を、上記データ列に含まれる映像データの数と一水平走査期間との積に該データ列に含まれるダミーデータの数とダミー走査期間との積を加えたものに等しくすることを特徴とする請求項３２記載の液晶表示装置の駆動方法。
【請求項３４】
請求項２１記載の液晶パネル駆動装置を動作させるための駆動条件設定プログラムであって、上記各工程をコンピュータに実行させることを特徴とする駆動条件設定プログラム。
【請求項３５】
請求項２９記載の液晶表示装置と、テレビジョン放送を受信するチューナー部とを備えることを特徴とするテレビジョン受像機。
【発明の詳細な説明】
【技術分野】
【０００１】
本発明は、液晶表示装置のダミー走査期間に関するものである。
【背景技術】
【０００２】
液晶表示装置は、高精細、薄型、軽量および低消費電力等の優れた特長を有し、近年その市場規模が急速に拡大している。この液晶表示装置においては、信号電位の極性を周期的に（例えば、１フレーム毎に）反転させる交流駆動が行われるが、この交流駆動におけるフリッカ（ちらつき）を防止するため、行方向（走査信号線方向）に隣接する画素間で信号電位を逆極性にするＶライン反転駆動や、行方向に隣接する画素間および列方向（データ信号線方向）に隣接する画素間で信号電位を逆極性にするドット反転駆動（１ｈ／１ｖ反転駆動）が採用されてきた。【０００３】
しかしながら、Ｖライン反転駆動ではちらつきが視認されるおそれがあり、また、ドット反転駆動ではデータ信号線の反転周波数が高くなって画素充電率の低下や消費電力増大といった問題があることから、例えば特許文献１に記載のように、列方向については複数画素ごとに信号電位の極性を反転させる一方、行方向については１画素ごとに信号電位の極性を反転させるブロック反転駆動（ｎｈ／１ｖ反転駆動）が提案されている。このブロック反転駆動では、データ信号線に供給される信号電位の極性が複数の水平走査期間ごとに反転するため、ドット反転駆動に比べて画素充電率の向上や消費電力および発熱量の抑制を図ることができる。【０００４】
さらに特許文献１には、図２４に示されるように、ブロック反転駆動において上記極性が反転する直後の水平期間を、プリチャージのみを行う（本チャージを行わない）ダミー走査期間とする構成が開示されている。該構成によれば、極性反転直後にあたるデータ（ｎ＋２）にはダミー走査期間および一水平走査期間の２水平走査期間分が割り当てられることになり、該データ（ｎ＋２）に対応する画素の充電率を高めることができる。
【特許文献１】日本国公開特許公報「特開２００１−５１２５２号公報（２００１年２月２３日公開）」
【発明の開示】
【０００５】
しかしながら、図２４の構成では、極性の反転（４水平走査期間）ごとに一水平走査期間と同じ長さのダミー走査期間を挿入していくため、垂直表示期間（１フレーム期間−垂直帰線期間）が長くなり、垂直帰線期間が短くなってしまう。このため、この垂直表示期間の増加分を予め考慮して入力するデータを生成する必要がある。また、ダミー走査期間を挿入していくのに伴ってデータの入出力の時間差が増えていくため、メモリ（バッファ）使用量が増大するという問題もある。
【０００６】
本発明は、液晶表示装置において、各水平走査期間に加えてダミー走査期間を設けつつ垂直表示期間の増加を抑えることを目的とする。
【０００７】
本発明の液晶パネル駆動装置は、１本のデータ信号線に対応する映像データが間隔をおいて順次入力される液晶パネル駆動装置であって、複数の映像データごとに組とするとともに該組内の所定箇所にダミーデータを挿入し、ダミーデータに対応する信号電位の出力にダミー走査期間を割り当て、各映像データに対応する信号電位の出力に一水平走査期間を割り当て、上記一水平走査期間を上記間隔よりも短く設定することを特徴とする。本液晶パネル駆動装置では、例えば、映像データを選択して（並べて）いき複数の映像データごとに組とするとともに該組内の所定箇所にダミーデータを挿入している。
【０００８】
このように、各映像データの入力間隔（入力される映像データ列に設定された水平走査期間）よりも各映像データに対応する信号電位が出力される一水平走査期間を短くすれば、この短縮分の総和によってダミーデータを出力するためのダミー走査期間を作り出すことができる。これにより、入力される映像データにダミーデータを挿入してこれにダミー走査期間を割り当てながら、垂直表示期間の増加を抑えることができる。また、データ入出力の時間差の増加も抑えることができ、メモリ（バッファ）使用量を低減することができる。
【０００９】
本液晶パネル駆動装置においては、１つの組の映像データ数と上記間隔との積が、該組においてダミーデータに割り当てられた総ダミー走査期間と上記映像データに割り当てられた総水平走査期間との和に等しい構成とすることができる。
【００１０】
こうすれば、垂直表示期間を変えることなく（すなわち、垂直帰線期間を減らすことなく）ダミー走査期間を設ける（挿入する）ことができる。また、データ入出力の時間差が増加していくことがないため、メモリ（バッファ）使用量をより低減することができる。
【００１１】
本液晶パネル駆動装置においては、各組の先頭にダミーデータを挿入する構成とすることもできる。
【００１２】
本液晶パネル駆動装置においては、１つの組の各映像データおよびダミーデータに対応する信号電位の極性はすべて同一であって、これが第１の極性であれば、次の組の各映像データおよびダミーデータに対応する信号電位の極性はすべて第２の極性である構成とすることもできる。この構成では、例えば各組の先頭に所望のダミーデータを挿入することで極性反転直後の波形鈍りに起因するデータ信号線の充電率悪化を回避することができる。
【００１３】
本液晶パネル駆動装置においては、映像データに対応する信号電位を、該映像データに対応する走査信号線の走査に合わせて上記データ信号線に出力し、ダミーデータに対応する信号電位を、その直後の映像データに対応する走査信号線の走査に合わせて上記データ信号線に出力するか、あるいはその直前の映像データに対応する走査信号線の走査とその直後の映像データに対応する走査信号線の走査との間に上記データ信号線に出力し、各組の映像データの並びに従って走査信号線を順次走査する構成とすることもできる。
【００１４】
本液晶パネル駆動装置においては、映像データに対応する信号電位を、該映像データに対応する走査信号線の走査に合わせて上記データ信号線に出力し、ダミーデータに対応する信号電位を、その直後の映像データに対応する走査信号線の走査に合わせて上記データ信号線に出力するか、あるいはその直前の映像データに対応する走査信号線の走査とその直後の映像データに対応する走査信号線の走査との間に上記データ信号線に出力し、各組の映像データの並びに従って走査信号線を飛び越し走査する構成とすることもできる。
【００１５】
本液晶パネル駆動装置においては、上記水平走査期間およびダミー走査期間に基づいて、上記映像データに対応する信号電位およびダミーデータに対応する信号電位の出力タイミングを制御する信号と、映像データに対応する走査信号線へのゲートオンパルスの供給タイミングを制御する信号とを生成する構成とすることもできる。
【００１６】
本発明の液晶パネル駆動装置は、１本のデータ信号線に対応する映像データが間隔をおいて順次入力される液晶パネル駆動装置であって、複数の映像データごとに組とし、各組の所定の映像データに対応する信号電位の出力に、一水平走査期間に加えて１以上のダミー走査期間を割り当て、同組のその他の各映像データに対応する信号電位の出力に一水平走査期間を割り当て、上記一水平走査期間を上記間隔よりも短く設定することを特徴とする。本液晶パネル駆動装置では、例えば、映像データを選択して（並べて）いき、複数の映像データごとに組とする。なお、上記間隔（各データの入力間隔）は同一フレーム内において一定となっている。
【００１７】
このように、各映像データの入力間隔（入力される映像データ列に設定された水平走査期間）よりも各映像データに対応する信号電位が出力される一水平走査期間を短くすれば、この短縮分の総和によってダミー走査期間にあてるための期間を作り出すことができる。これにより、ダミー走査期間を設けながら（挿入しながら）垂直表示期間の増加を抑えることができる。また、データ入出力の時間差の増加も抑えることができ、メモリ（バッファ）使用量を低減することができる。
【００１８】
本発明の液晶パネル駆動装置においては、１つの組の映像データ数と上記間隔との積が、該組において上記所定の映像データに割り当てられた総水平走査期間と上記所定の映像データに割り当てられた総ダミー走査期間と上記その他の映像データに割り当てられた総水平走査期間との和に等しい構成とすることが好ましい。こうすれば、垂直表示期間を変えることなく（すなわち、垂直帰線期間を減らすことなく）ダミー走査期間を設ける（挿入する）ことができる。また、データ入出力の時間差が増加していくことがないため、メモリ（バッファ）使用量をより低減することができる。
【００１９】
本発明の液晶パネル駆動装置においては、１つの組の各映像データに対応する信号電位の極性はすべて同一であって、これが第１の極性（例えば、プラス極性）であれば、次の組の各映像データに対応する信号電位の極性はすべて第２の極性（例えば、マイナス極性）である構成とすることもできる。上記構成によれば、極性反転直後の信号鈍りの影響を低減することができる。
【００２０】
本発明の液晶パネル駆動装置においては、上記映像データに対応する信号電位を、該映像データに対応する走査信号線の走査に合わせて出力し、各組の映像データの並びに従って走査信号線を順次走査する構成とすることもできる。
【００２１】
本発明の液晶パネル駆動装置においては、上記映像データに対応する信号電位を、該映像データに対応する走査信号線の走査に合わせて出力し、各組の映像データの並びに従って走査信号線を飛び越し走査する構成とすることもできる。
【００２２】
液晶パネル駆動装置は、１本のデータ信号線に対応する映像データが順次入力される液晶パネル駆動装置であって、一定期間に入力される複数の映像データを出力順に並べるとともに所定箇所にダミーデータを挿入してデータ列とし、１つの映像データの出力に一水平走査期間を割り当てるとともに、１つのダミーデータの出力にダミー走査期間を割り当て、上記一水平走査期間を映像データの入力間隔よりも短く設定することを特徴とする。
【００２３】
本液晶パネル駆動装置では、上記一定期間は、上記データ列に含まれる映像データの数と一水平走査期間との積に、該データ列に含まれるダミーデータの数とダミー走査期間との積を加えたものに等しい構成とすることもできる。
【００２４】
また、本液晶パネル駆動装置では、上記一定期間は、一垂直走査期間から垂直ブランキング期間を除いた期間に等しい構成とすることもできる。
【００２５】
また、本液晶パネル駆動装置では、上記データ列は時系列に沿って並ぶ複数の組からなり、各組にはダミーデータを先頭として複数の映像データが並び、連続する２つの組の一方に含まれるダミーデータおよび映像データに対応する信号電位が第１極性、他方に含まれるダミーデータおよび映像データに対応する信号電位が第２極性となっている構成とすることもできる。
【００２６】
本液晶パネル駆動装置では、上記出力順は、走査信号線の順次走査あるいは飛び越し走査に対応したものである構成とすることもできる。
【００２７】
本液晶パネル駆動装置では、映像データに対応する信号電位を、該映像データに対応する走査信号線の走査に合わせて上記データ信号線に出力し、ダミーデータに対応する信号電位を、その直前の映像データに対応する走査信号線の走査とその直後の映像データに対応する走査信号線の走査との間に上記データ信号線に出力する構成とすることもできる。
【００２８】
本液晶パネル駆動装置では、ダミーデータに対応する信号電位は、それより後の直近の映像データに対応する信号電位に等しい構成とすることもできる。
【００２９】
本発明の液晶パネル駆動装置においては、上記各組の所定の映像データには、各組の最初の映像データに加え、それ以外の映像データも含まれている構成とすることもできる。
【００３０】
本発明の液晶パネル駆動装置においては、上記ダミー走査期間を上記間隔よりも短く設定する構成とすることもできる。
【００３１】
本発明の液晶パネル駆動装置においては、上記ダミー走査期間を一水平走査期間に等しくする構成とすることができる。こうすれば、各走査（ダミー走査・水平走査）期間が同一となるため、信号処理あるいはそのための構成を簡易化することができる。
【００３２】
本発明の液晶パネル駆動装置においては、上記ダミー走査期間を一水平走査期間よりも短くする構成とすることができる。こうすれば、水平走査期間を長くできるため、画素の充電率を高めるのに有利となる。
【００３３】
本発明の液晶パネル駆動装置においては、上記ダミー走査期間を一水平走査期間よりも長くする構成とすることもできる。こうすれば、組ごとに信号電位の極性を反転させる構成において、反転極性直後のデータ信号線の充電率を高めるのに有利な構成となる。
【００３４】
本発明の液晶パネル駆動装置においては、１組の総水平走査期間の数がＭであるときに、該組の総ダミー走査期間の数、一水平走査期間、およびダミー走査期間の組み合わせを決定するため、ａを１以上の整数をとる変数とし、Ｍとａとの和をＡとし、上記間隔とＭの積をＡで割ったものをＢとして、Ｂが所定値以上か否かを判断する第１の工程と、第１の工程でＢが所定値以上であれば、Ｂの小数点以下を切り捨てた整数ＤとＡの積をＥとし、上記間隔とＭとの積からＥを引いたものをＰとし、Ｐをａで割ったものをＦとして、Ｆが整数か否かを判断する第２の工程と、第２の工程でＦが整数であれば、ａが、Ｍにおける充電特性から得られる必要最小限のダミー走査期間数以上であるかを判断する第３の工程と、第３の工程で、ａが、上記必要最小限のダミー走査期間数以上であれば、ダミー走査期間数＝ａ、一水平走査期間＝Ｄ、およびダミー走査期間＝Ｄ＋Ｆとして該組み合わせを保存する第４の工程と、ａを変化させて上記各工程を繰り返すことで得られた組み合わせの中から１つを選択する第５の工程とを行う構成とすることもできる。
【００３５】
本発明の駆動条件設定プログラムは、上記液晶パネル駆動装置を動作させるための駆動条件設定プログラムであって、上記各工程をコンピュータに実行させることを特徴とする。
【００３６】
本発明の液晶表示装置の駆動方法は、１本のデータ信号線に対応する映像データが間隔をおいて順次入力される液晶表示装置を駆動するための、液晶表示装置の駆動方法であって、複数の映像データごとに組とするとともに該組内の所定箇所にダミーデータを挿入し、ダミーデータに対応する信号電位の出力にダミー走査期間を割り当て、各映像データに対応する信号電位の出力に一水平走査期間を割り当て、上記一水平走査期間を上記間隔よりも短く設定することを特徴とする。本液晶表示装置の駆動方法では、例えば、映像データを選択して（並べて）いき複数の映像データごとに組とするとともに該組内の所定箇所にダミーデータを挿入する。
【００３７】
本液晶表示装置の駆動方法においては、１つの組において上記ダミーデータに割り当てられた総ダミー走査期間と上記映像データに割り当てられた総水平走査期間との和を、該組の映像データ数と上記間隔との積に一致させることが望ましい。
【００３８】
本発明の液晶表示装置の駆動方法は、１本のデータ信号線に対応する映像データが間隔をおいて順次入力される液晶表示装置を駆動するための、液晶表示装置の駆動方法であって、複数の映像データごとに組とし、各組の所定の映像データに対応する信号電位の出力に、一水平走査期間に加えて１以上のダミー走査期間を割り当て、同組のその他の各映像データに対応する信号電位の出力に一水平走査期間を割り当て、上記一水平走査期間を上記間隔よりも短く設定することを特徴とする。本液晶表示装置の駆動方法では、例えば、映像データを選択して（並べて）いき、複数の映像データごとに組とする。
【００３９】
本液晶表示装置の駆動方法においては、１つの組における上記所定の映像データに割り当てられた総水平走査期間と上記所定の映像データに割り当てられた総ダミー走査期間と上記その他の映像データに割り当てられた総水平走査期間との和を、該組の映像データ数と上記間隔との積に一致させることが望ましい。
【００４０】
本液晶表示装置の駆動方法は、１本のデータ信号線に対応する映像データが順次入力される液晶表示装置を駆動するための、液晶表示装置の駆動方法であって、一定期間に入力される複数の映像データを出力順に並べるとともに所定箇所にダミーデータを挿入してデータ列とし、１つの映像データの出力に一水平走査期間を割り当てるとともに、１つのダミーデータの出力にダミー走査期間を割り当て、上記一水平走査期間を映像データの入力間隔よりも短く設定することを特徴とする。この場合、上記一定期間を、上記データ列に含まれる映像データの数と一水平走査期間との積に該データ列に含まれるダミーデータの数とダミー走査期間との積を加えたものに等しくすることもできる。
【００４１】
本発明の液晶表示装置は、液晶パネルとこれを駆動する上記液晶パネル駆動装置を備えることを特徴とする。
【００４２】
本発明の上記テレビジョン受像機は、上記液晶表示装置と、テレビジョン放送を受信するチューナー部とを備えることを特徴とする。
【００４３】
以上のように、本発明の液晶パネル駆動装置によれば、入力される映像データにダミーデータを挿入してこれにダミー走査期間を割り当てながら、垂直表示期間の増加を抑えることができる。また、データ入出力の時間差の増加も抑えることができるため、メモリ（バッファ）の使用量を低減することができる。
【図面の簡単な説明】
【００４４】
【図１】本液晶表示装置の駆動方法を説明する模式図である。
【図２】図１の駆動方法をより詳細に説明する模式図である。
【図３】本液晶表示装置の他の駆動方法を説明する模式図である。
【図４】図３の駆動方法をより詳細に説明する模式図である。
【図５】本液晶表示装置の他の駆動方法を説明する模式図である。
【図６】本液晶表示装置の水平走査期間およびダミー走査期間の設定例を示す表である。
【図７】本液晶表示装置の他の駆動方法を説明する模式図である。
【図８】本液晶表示装置の他の駆動方法を説明する模式図である。
【図９】本液晶表示装置における水平走査期間およびダミー走査期間の決定例を示すフローチャートである。
【図１０】本液晶表示装置における水平走査期間およびダミー走査期間の他の決定例を示すフローチャートである。
【図１１】図１０に示す工程による水平走査期間およびダミー走査期間の設定例を示す表である。
【図１２】再計算による水平走査期間およびダミー走査期間の設定例を示す表である。
【図１３】本液晶表示装置の駆動方法を示すタイミングチャートである。
【図１４】本液晶表示装置の他の駆動方法を示すタイミングチャートである。
【図１５】本液晶表示装置の他の駆動方法を示すタイミングチャートである。
【図１６】本液晶表示装置の構成を示す平面図である。
【図１７】本液晶表示装置の他の構成を示す平面図である。
【図１８】テレビジョン受像機用の表示装置の構成を示すブロック図である。
【図１９】チューナー部と表示装置との接続関係を示すブロック図である。
【図２０】表示装置をテレビジョン受像機とするときの機械的構成の一例を示す分解斜視図である。
【図２１】並べ替え回路を示す概略ブロック図である。
【図２２】データの並べ変えの方法を説明するための模式図である。
【図２３】図２２の点線で囲った部分を拡大して示す模式図である。
【図２４】従来の液晶表示装置の駆動方法を示すタイミングチャートである。
【符号の説明】
【００４５】
ＶｔｏｔａｌＸ  （入力側）一垂直走査期間（１フレーム期間）
ＶｔｏｔａｌＹ  （出力側）一垂直走査期間（１フレーム期間）
ＶｄｉｓｐＸ  （入力側）垂直表示期間
ＶｄｉｓｐＹ  （出力側）垂直表示期間
ＶｂｌａｎｋＸ  （入力側）垂直帰線期間
ＶｂｌａｎｋＹ  （出力側）垂直帰線期間
ＨｔｏｔａｌＸ  （入力側）一水平走査期間（データ入力の間隔）
ＨｔｏｔａｌＹ  （出力側）一水平走査期間
ＨｄｉｓｐＸ  （入力側）水平表示期間
ＨｄｉｓｐＹ  （出力側）水平表示期間
ＨｂｌａｎｋＸ  （入力側）水平帰線期間
ＨｂｌａｎｋＹ  （出力側）水平帰線期間
ＤｔｏｔａｌＹ  ダミー走査期間
ＤｄｉｓｐＹ  ダミー表示期間
ＤｂｌａｎｋＹ  ダミー帰線期間
【発明を実施するための最良の形態】
【００４６】
本発明の実施の一形態を説明すれば以下のとおりである。【００４７】
図１６は、本液晶表示装置の構成を示すブロック図である。同図に示されるように、本液晶表示装置は、ソースドライバ３００と、ゲートドライバ４００と、液晶パネル１００と、バックライト６００と、バックライト６００を駆動する光源駆動回路７００と、ソースドライバ３００、ゲートドライバ４００および光源駆動回路７００を制御する表示制御回路２００とを備えている。このソースドライバ３００およびゲートドライバ４００並びに表示制御回路２００の、全部または一部によって液晶パネル駆動装置が構成される。【００４８】
液晶パネル１００は、複数本（ｍ本）のゲートライン（走査信号線）ＧＬ１〜ＧＬｍと、それらのゲートラインＧＬ１〜ＧＬｍのそれぞれと交差する複数本（ｎ本）のソースライン（データ信号線）ＳＬ１〜ＳＬｎと、それらのゲートラインＧＬ１〜ＧＬｍとソースラインＳＬ１〜ＳＬｎとの交差点にそれぞれ対応して設けられた複数個（ｍ×ｎ個）の画素とを備える。なお、ゲートライン方向を行方向、ソースライン方向を列方向と称する。【００４９】
各画素は、対応する交差点を通過するゲートラインＧＬｊにゲート端子が接続されるとともに当該交差点を通過するソースラインＳＬｉにソース端子が接続されたＴＦＴ１０と、該ＴＦＴ１０のドレイン端子に接続された画素電極と、共通電極Ｅｃにおける上記画素電極に対応する部分と、上記画素電極および共通電極Ｅｃの間に挟持された液晶層とからなる。そして、この画素電極と共通電極Ｅｃとの間に形成される液晶容量によって画素容量Ｃｐが形成される。なお、図示していないが、画素電極の電位保持や画素電極の電位制御のために、液晶容量に並列に補助容量（保持容量）が設けられる。この補助容量は、補助容量配線と画素電極あるいはこれに接続する容量電極との間に形成される。【００５０】
各画素の画素電極には、ソースドライバ３００からソースラインおよびＴＦＴを介して表示すべき画像に応じた信号電位が与えられ、共通電極Ｅｃには、図示しない電源回路から所定電位Ｖｃｏｍが与えられる。これにより、画素電極と共通電極Ｅｃとの間の電位差に応じた電圧が液晶に印加され、この電圧印加によって液晶層に対する光の透過量が制御されることで画像表示が行われる。【００５１】
バックライト６００は、液晶パネル１００を後方から照明する面状照明装置であり、例えば線状光源としての冷陰極管と導光板を用いて構成される。このバックライト６００は光源駆動回路７００によって駆動されて点灯し、これによってバックライト６００から液晶パネル１００の各画素に光が照射される。【００５２】
表示制御回路２００は、外部の信号源から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取る。また、表示制御回路２００は、受け取ったこれらの信号Ｄｖ，ＨＳＹ，ＶＳＹ，Ｄｃに基づき、そのデジタルビデオ信号Ｄｖの表す画像を液晶パネル１００（表示部）に表示させるための信号として、データスタートパルス信号ＳＳＰと、データクロック信号ＳＣＫと、ラッチストローブ信号（データ信号印加制御信号）ＬＳと、極性反転信号ＰＯＬと、表示すべき画像を表すデジタル画像信号ＤＡ（ビデオ信号Ｄｖに対応する信号）と、ゲートスタートパルス信号ＧＳＰと、ゲートクロック信号ＧＣＫと、ゲートドライバ出力制御信号（走査信号出力制御信号）ＧＯＥとを生成し、これらを出力する。【００５３】
より詳しくは、ビデオ信号Ｄｖを内部メモリで必要に応じてタイミング調整等を行った後に、デジタル画像信号ＤＡとして表示制御回路２００から出力し、そのデジタル画像信号ＤＡの表す画像の各画素に対応するパルスからなる信号としてデータクロック信号ＳＣＫを生成し、水平同期信号ＨＳＹに基づき一水平走査期間毎に所定期間だけハイレベル（Ｈレベル）となる信号としてデータスタートパルス信号ＳＳＰを生成し、垂直同期信号ＶＳＹに基づき１フレーム期間（一垂直走査期間）毎に所定期間だけＨレベルとなる信号としてゲートスタートパルス信号ＧＳＰ（ＧＳＰａ、ＧＳＰｂ）を生成し、水平同期信号ＨＳＹに基づきゲートクロック信号ＧＣＫ（ＧＣＫａ、ＧＣＫｂ）を生成し、水平同期信号ＨＳＹおよび制御信号Ｄｃに基づきラッチストローブ信号ＬＳ、ならびにゲートドライバ出力制御信号ＧＯＥ（ＧＯＥａ、ＧＯＥｂ）を生成する。【００５４】
上記のようにして表示制御回路２００において生成された信号のうち、デジタル画像信号ＤＡとラッチストローブ信号ＬＳとデータスタートパルス信号ＳＳＰとデータクロック信号ＳＣＫと極性反転信号ＰＯＬとは、ソースドライバ３００に入力され、ゲートスタートパルス信号ＧＳＰとゲートクロック信号ＧＣＫとゲートドライバ出力制御信号ＧＯＥとは、ゲートドライバ４００に入力される。【００５５】
ソースドライバ３００は、デジタル画像信号ＤＡとデータスタートパルス信号ＳＳＰおよびデータクロック信号ＳＣＫとラッチストローブ信号ＬＳと極性反転信号ＰＯＬとに基づき、デジタル画像信号ＤＡの表す画像の各水平走査線における画素値に相当するアナログ電圧としてデータ信号Ｓ（１）〜Ｓ（ｎ）を水平走査期間毎に順次生成し、これらのデータ信号Ｓ（１）〜Ｓ（ｎ）をソースラインＳＬ１〜ＳＬｎにそれぞれ印加する。【００５６】
ゲートドライバ４００は、ゲートスタートパルス信号ＧＳＰ（ＧＳＰａ、ＧＳＰｂ）およびゲートクロック信号ＧＣＫ（ＧＣＫａ、ＧＣＫｂ）と、ゲートドライバ出力制御信号ＧＯＥ（ＧＯＥａ、ＧＯＥｂ）とに基づき、走査信号Ｇ（１）〜Ｇ（ｍ）を生成し、これらをゲートラインＧＬ１〜ＧＬｍにそれぞれ印加することにより当該ゲートラインＧＬ１〜ＧＬｍを選択的に駆動する。このゲートラインＧＬ１〜ＧＬｍの選択的な駆動は、走査信号Ｇ（１）〜Ｇ（ｍ）として、選択期間をパルス幅としたゲートオンパルスを印加することによって実現される。【００５７】
上記のようにソースドライバ３００およびゲートドライバ４００により液晶パネル１００のソースラインＳＬ１〜ＳＬｎおよびゲートラインＧＬ１〜ＧＬｍが駆動されることで、選択されたゲートラインＧＬｊに接続されたＴＦＴ１０を介して画素電極にソースラインＳＬｉの信号電位が与えられる（ｉ＝１〜ｎ，ｊ＝１〜ｍ）。これにより各画素の液晶層にデジタル画像信号ＤＡに応じた電圧が印加され、その電圧印加によってバックライト６００からの光の透過量が制御され、デジタルビデオ信号Ｄｖの示す画像が画素に表示される。【００５８】
表示方式としては、順次走査方式（プログレッシブスキャン方式）と飛び越し走査方式（インターレーススキャン方式）とが挙げられる。順次走査方式は、１画面を表示する際、すなわち１フレーム期間に、ゲートラインＧＬ１〜ＧＬｍを最上部から最下部にかけて１ラインずつ順に選択する方式である。また、飛び越し走査方式は、ゲートラインＧＬ１〜ＧＬｍが所定のライン間隔で同じグループとなるように複数のグループに分かれており、各グループに対する走査が順次行われる方式である。ゲートラインＧＬ１〜ＧＬｍが１ライン間隔で同じグループとなるように２つのグループに分かれている場合、１フレーム期間に、奇数または偶数番目のゲートラインＧＬ１〜ＧＬｍを最上部から最下部にかけて順に選択した後に、偶数または奇数番目のゲートラインＧＬ１〜ＧＬｍを最上部から最下部にかけて順に選択することになる。【００５９】
ここで、映像データを入力順に選択して（並べて）いき、複数の映像データ（１本のソースラインに対応する映像データ）ごとに組としていくとともに少なくとも各組の先頭に１以上のダミーデータを挿入し、走査信号線の順次走査に合わせて、データ（映像データ・ダミーデータ）の並び順に、該データに対応する信号電位の出力を行い、かつ、各映像データに対応する信号電位の出力には一水平期間を割り当てるとともに各ダミーデータに対応する信号電位の出力にはダミー走査期間を割り当て、組単位で信号電位の極性を反転させる構成について説明する。該構成によって、列方向については隣り合う複数画素毎に信号電位の極性が反転する（なお、行列方向については隣り合う１画素毎に信号電位の極性が反転する）ブロック反転駆動（ｎｈ／１ｖ反転駆動）を実現することができる。【００６０】
図１３は、入力順に１０映像データごとに組としていくとともに各組の先頭に１つのダミーデータを挿入し、組単位で信号電位の極性を反転させる場合（反転周期は、１ダミー走査期間＋１０水平走査期間）の、出力されるデータ列および各データに対応する信号電位の波形と、ラッチストローブ信号ＬＳおよびゲートオンパルス（データ書き込みパルス）Ｐｗのタイミングチャートとを示している。同図において、横方向は時間経過を示しており、縦方向はゲートオンパルスが印加されるゲートライン（書き込み行）ＧＬ１〜ＧＬｍの各行を示している。【００６１】
この場合、入力される映像データは、Ｎ行目のゲートラインに対応する映像データをＮとして、１，２，３，４，５，６，７，８，９，１０，１１，１２，１３，１４，１５，１６，１７，１８，１９，２０，２１，２２，・・・というように並んでいる。ここで、表示制御回路２００内の例えばダミーデータ挿入回路は、これら映像データを、１，２，３，・・・８，９，１０，さらに、１１，１２，１３，・・・１８，１９，２０，さらに、２１，２２・・・というように組にしていくとともに各組の先頭にダミーデータを挿入していく。この結果、図１３に示されるように、出力されるデータ（映像データ・ダミーデータ）は、Ｎ行目のゲートラインに対応する映像データを<Ｎ>、ダミーデータを<Ｄ>として、<Ｄ>，<１>，<２>，<３>，<４>，<５>，<６>，<７>，<８>，<９>，<１０>，さらに、<Ｄ>，<１１>，<１２>，<１３>，<１４>，<１５>，<１６>，<１７>，<１８>，<１９>，<２０>，さらに、<Ｄ>，<２１>，<２２>，・・・という順序になり、<Ｄ>，<１>，<２>・・・<１０>の各データ（映像データ・ダミーデータ）に対応するプラス極性の信号電位がこの順に１本のソースラインに出力され、ついで、<Ｄ>，<１１>，<１２>・・・<２０>の各データに対応するマイナス極性の信号電位がこの順に該ソースラインに出力され、ついで、<Ｄ>，<２１>，<２２>・・・の各データに対応するプラス極性の信号電位がこの順に該ソースラインに出力される。【００６２】
なお、ダミーデータ<Ｄ>には、所望のデータを自由に設定することができる。例えば、挿入箇所直後の映像データと等しくしてもよいし、ソースラインの充電効果を高める観点から挿入直後の映像データより高い電圧に対応するデータを別途設定してもよい。【００６３】
信号電位の極性反転直後はその波形に鈍りが生じるが、本構成ではここにダミー走査期間を設けて所定の信号電位（ダミーデータに対応する信号電位）を与えているため、この期間にソースラインを充電することができる。これにより、ダミー走査期間に続く水平走査期間では、所望の信号電位（映像データに対応する電位）を画素に書き込むことが可能となる。この結果、極性反転直後の信号電位波形の鈍りに起因する１０行毎の表示ムラを防止することができる。【００６４】
ここで、本液晶表示装置では、上記のように、１０映像データが含まれる各組にダミーデータを１つずつ挿入し、各ダミーデータにダミー走査期間を割り当てても１フレームの垂直表示期間が変わらない（すなわち、入力される映像データ列に設定された垂直帰線期間ＶｂｌａｎｋＸと、実際の出力における垂直帰線期間ＶｂｌａｎｋＹとが等しくなる）ように、入力される映像データ列に設定された一水平走査期間ＨｔｏｔａｌＸよりも、実際の出力における一水平走査期間ＨｔｏｔａｌＹを短くしている。これを以下に説明する。【００６５】
図１は、本液晶表示装置において、１０映像データ（１本のソースラインに対応する映像データ）ごとに組としていくとともに各組の先頭に１つのダミーデータを挿入し、走査信号線の順次走査に合わせて、データ（映像データ・ダミーデータ）の並び順に、該データに対応する信号電位の出力を行い、かつ、各映像データに対応する信号電位の出力には一水平期間を割り当てるとともにダミーデータに対応する信号電位の出力にはダミー走査期間を割り当て、組単位で信号電位の極性を反転させる（反転周期は、１ダミー走査期間＋１０水平走査期間）場合の、入力される映像データ列および出力されるデータ列並びに各データの出力期間の関係について示している。なお、入力される映像データ列の設定をフルＨＤの標準仕様、すなわち、ドットクロック＝１４８．５ＭＨｚ、１フレーム期間ＶｔｏｔａｌＸ＝垂直表示期間ＶｄｉｓｐＸ（１０８０ｌｉｎｅ）＋垂直帰線期間ＶｂｌａｎｋＸ（４５ｌｉｎｅ）、一水平走査期間ＨｔｏｔａｌＸ（映像データの入力間隔）＝２２００ｄｏｔ、一水平走査期間ＨｔｏｔａｌＸ＝水平表示期間ＨｄｉｓｐＸ（１９２０ｄｏｔ）＋水平帰線期間ＨｂｌａｎｋＸ（２８０ｄｏｔ）とする。【００６６】
同図に示されるように、本液晶表示装置では、入力される映像データ列に設定された一水平走査期間ＨｔｏｔａｌＸ（２２００ｄｏｔ）に対し、実際の出力における一水平走査期間ＨｔｏｔａｌＹを２０００ｄｏｔとし、ダミー走査期間ＤｔｏｔａｌＹも２０００ｄｏｔとしている。こうすれば、１０ライン（１０映像データ分）を１組として、各組の映像データ列に設定された総水平走査期間は２２００ｄｏｔ×１０＝２２０００ｄｏｔであり、各組の実際の出力における総水平走査期間にダミー走査期間を加えた期間は２０００ｄｏｔ×１０＋２０００ｄｏｔ×１＝２２０００ｄｏｔであり、両者は一致する。【００６７】
より具体的には、図２に示すように、入力される映像データ列に設定された一水平走査期間ＨｔｏｔａｌＸ（２２００ｄｏｔ）＝入力される映像データ列に設定された水平表示期間ＨｄｉｓｐＸ（１９２０ｄｏｔ）＋入力される映像データ列に設定された水平帰線期間ＨｂｌａｎｋＸ（２８０ｄｏｔ）に対して、実際の出力における一水平走査期間ＨｔｏｔａｌＹを上記のようにＨｔｏｔａｌＸよりも少ない２０００ｄｏｔとし、その内訳を、実際の出力における水平表示期間ＨｄｉｓｐＹが１９２０ｄｏｔ、実際の出力における水平帰線期間ＨｂｌａｎｋＹが８０ｄｏｔとする。また、ダミー走査期間ＤｔｏｔａｌＹを上記のようにＨｔｏｔａｌＸよりも少ない２０００ｄｏｔとし、その内訳を、ダミー表示期間ＤｄｉｓｐＹが１９２０ｄｏｔ、ダミー帰線期間ＤｂｌａｎｋＹが８０ｄｏｔとする。【００６８】
ここで、ソースラインへの信号電位の出力は、水平帰線期間（ＨｂｌａｎｋＹ）を含め一水平走査期間（ＨｔｏｔａｌＹ）中ずっと行われ、各水平走査期間に対応して画素のトランジスタがＯＮとなる（対応するゲートラインにゲートオンパルスが送られている）期間に画素への書き込みが行われる。また、ダミー帰線期間（ＤｂｌａｎｋＹ）を含めダミー走査期間（ＤｔｏｔａｌＹ）中もずっとソースラインへの信号電位の出力が行われている。なお、図１３ではこのダミー走査期間に画素への書き込みを行っていないが、このダミー走査期間に画素への書き込みを行う構成でもよい。【００６９】
また、図１３において、ラッチストローブ信号の立下りによってあるデータ（映像データ・ダミーデータ）に対応する信号電位がラッチされ、次のラッチストローブ信号の立下りによって次のデータ（映像データ・ダミーデータ）に対応する信号電位がラッチされる。これは、ダミー走査期間についても同様である。また、ゲートオンパルスＰｗの幅は例えば一水平走査期間ＨｔｏｔａｌＹ未満に設定される。【００７０】
上記構成によれば、入力される映像データ列に設定された水平表示期間ＨｄｉｓｐＸと実際の出力における水平表示期間ＨｄｉｓｐＹとを等しくすることができる。これにより、ドットクロックはそのままで、液晶表示装置の垂直表示期間を増やすことなく、また垂直帰線期間を減らすことなく（ＶｄｉｓｐＸ＝ＶｄｉｓｐＹ、ＶｂｌａｎｋＸ＝ＶｂｌａｎｋＹを維持しながら）１０水平走査期間ごとに１つのダミー走査期間を挿入することができる。【００７１】
また、上記構成では、ダミー走査期間ＤｔｏｔａｌＹと一水平走査期間ＨｔｏｔａｌＹとが等しい（２０００ｄｏｔ）ため、信号処理あるいはそのための構成が容易になるという利点がある。【００７２】
なお、１組の総水平期間数（映像データ数）および総ダミー走査期間数（ダミーデータ数）と、一水平走査期間ＨｔｏｔａｌＹと、ダミー走査期間ＤｔｏｔａｌＹとの組み合わせは、表示制御回路２００（液晶パネル駆動装置）によって設定され、表示制御回路２００は、この組み合わせに基づいて、上記の各種信号（ＰＯＬ、ＬＳ、ＳＳＰ、ＳＣＫ、ＧＣＫ，ＧＳＰ，ＧＯＥ）等を生成する。また、入力された映像データへのダミーデータの挿入も表示制御回路２００で行われる。【００７３】
なお、上記の構成では、順次入力された映像データにダミーデータを挿入しているがこれに限定されない。ダミーデータを挿入せず（データ列は入力されたままにして）例えばラッチパルスを１つ抜くことでダミー走査期間を１つ作るような構成も可能である。ただこの構成では、同一のデータがダミー走査期間およびそれに続く一水平走査期間にわたって出力されることになる。【００７４】
図３は、２０映像データ（１本のソースラインに対応する映像データ）ごとに組としていくとともに各組の先頭に１つのダミーデータを挿入し、走査信号線の順次走査に合わせて、データ（映像データ・ダミーデータ）の並び順に、該データに対応する信号電位の出力を行い、かつ、各映像データに対応する信号電位の出力には一水平期間を割り当てるとともにダミーデータに対応する信号電位の出力にはダミー走査期間を割り当て、組単位で信号電位の極性を反転させる場合（反転周期は、１ダミー走査期間＋２０水平走査期間）の、入力される映像データ列および出力されるデータ列並びに各データの出力期間の関係について示している。【００７５】
同図に示されるように、本液晶表示装置では、２０映像データが含まれる各組にダミーデータを１つずつ挿入し、各ダミーデータにダミー走査期間を割り当てながらも、入力される映像データ列に設定された垂直表示期間ＶｄｉｓｐＸ（１０８０ｌｉｎｅ）と実際の出力における垂直表示期間ＶｄｉｓｐＹとを等しく、したがって、入力される映像データ列に設定された垂直帰線期間ＶｂｌａｎｋＸ（４５ｌｉｎｅ）と実際の出力における垂直帰線期間ＶｂｌａｎｋＹとを等しくしている。これを実現するため、入力される映像データ列に設定された一水平走査期間ＨｔｏｔａｌＸ（２２００ｄｏｔ）に対し、実際の出力における一水平走査期間ＨｔｏｔａｌＹを２０９６ｄｏｔとし、ダミー走査期間ＤｔｏｔａｌＹを２０８０ｄｏｔとしている。こうすれば、入力される２０映像データ分（２０ゲートライン分）につき、各組に設定された総水平走査期間は２２００ｄｏｔ×２０＝４４０００ｄｏｔであり、各組の実際の出力における総水平走査期間にダミー走査期間を加えた期間は２０９６ｄｏｔ×２０＋２０８０ｄｏｔ×１＝４４０００ｄｏｔであり、両者は一致する。【００７６】
より具体的には、図４に示すように、入力される映像データ列に設定された一水平走査期間ＨｔｏｔａｌＸ（２２００ｄｏｔ）＝入力される映像データ列に設定された水平表示期間ＨｄｉｓｐＸ（１９２０ｄｏｔ）＋入力される映像データ列に設定された水平帰線期間ＨｂｌａｎｋＸ（２８０ｄｏｔ）に対して、実際の出力における一水平走査期間ＨｔｏｔａｌＹを上記のようにＨｔｏｔａｌＸよりも少ない２０９６ｄｏｔとし、その内訳を、実際の出力における水平表示期間ＨｄｉｓｐＹが１９２０ｄｏｔ、実際の出力における水平帰線期間ＨｂｌａｎｋＹが１７６ｄｏｔとする。また、ダミー走査期間ＤｔｏｔａｌＹを上記のようにＨｔｏｔａｌＸよりも少ない２０８０ｄｏｔとし、その内訳を、ダミー表示期間ＤｄｉｓｐＹが１９２０ｄｏｔ、ダミー帰線期間ＤｂｌａｎｋＹが１６０ｄｏｔとする。【００７７】
なお、ソースラインへの信号電位の出力は、水平帰線期間（ＨｂｌａｎｋＹ）を含め一水平走査期間（ＨｔｏｔａｌＹ）中ずっと行われ、各水平走査期間に対応して画素のトランジスタがＯＮとなる（対応するゲートラインにゲートオンパルスが送られている）期間に画素への書き込みが行われる。また、ダミー帰線期間（ＤｂｌａｎｋＹ）を含めダミー走査期間（ＤｔｏｔａｌＹ）中もずっとソースラインへの信号電位の出力が行われている。なお、図１３ではこのダミー走査期間に画素への書き込みを行っていないが、このダミー走査期間に画素への書き込みを行う構成でもよい。【００７８】
こうすれば、入力される映像データ列に設定された水平表示期間ＨｄｉｓｐＸと実際の出力における水平表示期間ＨｄｉｓｐＹとを等しくすることができる。これにより、ドットクロックはそのままで、液晶表示装置の垂直表示期間を増やすことなく、また垂直帰線期間を減らすことなく（ＶｄｉｓｐＸ＝ＶｄｉｓｐＹ、ＶｂｌａｎｋＸ＝ＶｂｌａｎｋＹを維持しながら）２０水平走査期間ごとにダミー走査期間を設けることができる。【００７９】
また、ダミー走査期間ＤｔｏｔａｌＹが２０８０ｄｏｔ、一水平走査期間ＨｔｏｔａｌＹが２０９６ｄｏｔとなって一水平走査期間を長くとれるため、画素の充電に有利である。【００８０】
なお、２０映像データが含まれる各組にダミーデータを１つずつ挿入し、各ダミーデータにダミー走査期間を割り当てる場合には、図５に示されるように、入力される映像データ列に設定された一水平走査期間ＨｔｏｔａｌＸ（２２００ｄｏｔ）に対し、実際の出力における一水平走査期間ＨｔｏｔａｌＹを２０９４ｄｏｔとし、ダミー走査期間ＤｔｏｔａｌＹを２１２０ｄｏｔとしてもよい。こうすれば、入力される２０映像データ分（２０ゲートライン分）につき、各組に設定された総水平走査期間は２２００ｄｏｔ×２０＝４４０００ｄｏｔであり、各組の実際の出力における総水平走査期間にダミー走査期間を加えた期間は２０９４ｄｏｔ×２０＋２１２０ｄｏｔ×１＝４４０００ｄｏｔであり、両者は一致する。より具体的には、図５に示すように、入力される映像データ列に設定された一水平走査期間ＨｔｏｔａｌＸ（２２００ｄｏｔ）＝入力される映像データ列に設定された水平表示期間ＨｄｉｓｐＸ（１９２０ｄｏｔ）＋入力される映像データ列に設定された水平帰線期間ＨｂｌａｎｋＸ（２８０ｄｏｔ）に対して、実際の出力における一水平走査期間ＨｔｏｔａｌＹを上記のようにＨｔｏｔａｌＸよりも少ない２０９４ｄｏｔとし、その内訳を、実際の出力における水平表示期間ＨｄｉｓｐＹが１９２０ｄｏｔ、実際の出力における水平帰線期間ＨｂｌａｎｋＹが１７４ｄｏｔとする。また、ダミー走査期間ＤｔｏｔａｌＹを上記のようにＨｔｏｔａｌＸよりも少ない２１２０ｄｏｔとし、その内訳を、ダミー表示期間ＤｄｉｓｐＹが１９２０ｄｏｔ、ダミー帰線期間ＤｂｌａｎｋＹが２００ｄｏｔとする。【００８１】
この場合にも、入力される映像データ列に設定された水平表示期間ＨｄｉｓｐＸと実際の出力における水平表示期間ＨｄｉｓｐＹとを等しくすることができる。これにより、ドットクロックはそのままで、液晶表示装置の垂直表示期間を増やすことなく、また垂直帰線期間を減らすことなく（ＶｄｉｓｐＸ＝ＶｄｉｓｐＹ、ＶｂｌａｎｋＸ＝ＶｂｌａｎｋＹを維持しながら）２０水平走査期間ごとにダミー走査期間を設けることができる。【００８２】
また、上記構成では、ダミー走査期間ＤｔｏｔａｌＹが２１２０ｄｏｔ、一水平走査期間ＨｔｏｔａｌＹが２０９４ｄｏｔとなって、ダミー走査期間を長くとれるため、極性反転後の信号電圧波形の鈍りが大きい場合において、ソースラインの充電に有利である。【００８３】
なお、入力側の設定がＨｔｏｔａｌＸ＝２２００（ＨｄｉｓｐＸ１９２０＋ＨｂｌａｎｋＸ２８０）の場合に、２０映像データが含まれる各組にダミーデータを１つずつ挿入し、各ダミーデータにダミー走査期間を割り当てるには、ＨｔｏｔａｌＹ（＝ＨｄｉｓｐＹ＋ＨｂｌａｎｋＹ）とＤｔｏｔａｌＹ（＝ＤｄｉｓｐＹ＋ＤｂｌａｎｋＹ）とを、図６のいずれかの組み合わせに設定すればよい。
ただ、ダミー走査期間と水平走査期間との差は小さい方が、その他の信号とのタイミング調整が簡素化できて（例えば後述する画素分割方式への適用において、保持容量配線の電位波形の設定が容易になる）好ましいため、網掛け部分の組み合わせ、すなわち、ＨｔｏｔａｌＹが２０９４（ＨｄｉｓｐＹ１９２０＋ＨｂｌａｎｋＹ１７４）でＤｔｏｔａｌＹが２１２０（ＤｄｉｓｐＹ１９２０＋ＤｂｌａｎｋＹ２００）の組み合わせ（上述）、もしくはＨｔｏｔａｌＹが２０９５（ＨｄｉｓｐＹ１９２０＋ＨｂｌａｎｋＹ１７５）でＤｔｏｔａｌＹが２１００（ＤｄｉｓｐＹ１９２０＋ＤｂｌａｎｋＹ１８０）の組み合わせ、またはＨｔｏｔａｌＹが２０９６（ＨｄｉｓｐＹ１９２０＋ＨｂｌａｎｋＹ１７６）でＤｔｏｔａｌＹが２０８０（ＤｄｉｓｐＹ１９２０＋ＤｂｌａｎｋＹ１６０）の組み合わせ（上述）が好ましい。【００８４】
次に、映像データを、インターレース走査用に入力順を前後させて選択して（並べて）いき、複数の映像データ（１本のソースラインに対応する映像データ）ごとに組としていくとともに少なくとも各組の先頭に１以上のダミーデータを挿入し、走査信号線のインターレース走査（１ゲートラインずつ飛び越していく飛び越し走査）に合わせて、データ（映像データ・ダミーデータ）の並び順に、該データに対応する信号電位の出力を行い、かつ、各映像データに対応する信号電位の出力には一水平期間を割り当てるとともに各ダミーデータに対応する信号電位の出力にはダミー走査期間を割り当て、組単位で信号電位の極性を反転させる構成について説明する。該構成によって、列方向については隣り合う１画素毎に信号電位の極性が反転する（行列方向については隣り合う１画素毎に信号電位の極性が反転する）ドット反転駆動（１ｈ／１ｖ反転駆動）を実現することができる。なお、この構成では、図１６の表示制御回路２００内に並べ替え回路が設けられており、ここで、入力された映像データの並べ替えとダミーデータの挿入が行われている（後述）。【００８５】
図１４は、１０映像データ（１本のソースラインに対応する映像データ）ごとに組としていくとともに各組の先頭に１つのダミーデータを挿入し、走査信号線のインターレース走査に合わせて、データ（映像データ・ダミーデータ）の並び順に、該データに対応する信号電位の出力を行い、かつ、各映像データに対応する信号電位の出力には一水平期間を割り当てるとともにダミーデータに対応する信号電位の出力にはダミー走査期間を割り当て、組単位で信号電位の極性を反転させる場合（反転周期は、１ダミー走査期間＋１０水平走査期間）の、出力されるデータ列（映像データ・ダミーデータ）および各データに対応する信号電位の波形と、ラッチストローブ信号ＬＳおよびゲートオンパルス（データ書き込みパルス）Ｐｗのタイミングチャートとを示している。同図において、横方向は時間経過を示しており、縦方向はゲートオンパルスが印加されるゲートライン（書き込み行）ＧＬ１〜ＧＬｍの各行を示している。【００８６】
この場合、入力される映像データ（図示せず）は、Ｎ行目のゲートラインに対応する映像データをＮとして、１，２，３，４，５，６，７，８，９，１０，１１，１２，１３，１４，１５，１６，１７，１８，１９，２０，２１，２２，２３，２４・・・というように並んでいる。ここで、並べ替え回路は、これら映像データを、２，４，６，８，１０，１２，１４，１６，１８，２０，さらに、１，３，５，７，９，１１，１３，１５，１７，１９，さらに、２２，２４・・・というように組にしていくとともに各組の先頭にダミーデータを挿入していく。これにより、出力されるデータ（映像データ・ダミーデータ）は、Ｎ行目のゲートラインに対応する映像データを<Ｎ>、ダミーデータを<Ｄ>として、<Ｄ>，<２>，<４>，<６>，<８>，<１０>，<１２>，<１４>，<１６>，<１８>，<２０>，さらに、<Ｄ>，<１>，<３>，<５>，<７>，<９>，<１１>，<１３>，<１５>，<１７>，<１９>，さらに、<Ｄ>，<２２>，<２４>，・・・という順序になり、<Ｄ>，<２>，<４>・・・<２０>の各データに対応するプラス極性の信号電位がこの順に１本のソースラインに出力され、ついで、<Ｄ>，<１>，<３>・・・<１９>の各データに対応するマイナス極性の信号電位がこの順に該ソースラインに出力され、ついで、<Ｄ>，<２２>，<２４>・・・の各データに対応するプラス極性の信号電位がこの順に該ソースラインに出力される。【００８７】
なお、ダミーデータ<Ｄ>には、所望のデータを自由に設定することができる。例えば、挿入箇所直後の映像データと等しくしてもよいし、ソースラインの充電効果を高める観点から挿入直後の映像データより高い電圧に対応するデータを別途設定してもよい。【００８８】
信号電位の極性反転直後はその波形に鈍りが生じるが、本構成ではここにダミー走査期間を設けて所定の信号電位（ダミーデータに対応する信号電位）を与えているため、この期間にソースラインを充電することができる。これにより、ダミー走査期間に続く水平走査期間では、所望の信号電位（映像データに対応する電位）を画素に書き込むことが可能となる。さらに、隣接する２つのソースラインに印加される信号電圧の極性を互いに反転させることで、表示上、各画素の極性をドット反転させることができる。このため、フリッカなどに対して有利となる。【００８９】
本液晶表示装置では、１０映像データが含まれる各組にダミーデータを１つずつ挿入し、各ダミーデータにダミー走査期間を割り当てながらも１フレームの垂直表示期間が変わらない（すなわち、入力される映像データ列に設定された垂直帰線期間ＶｂｌａｎｋＸと、実際の出力における垂直帰線期間ＶｂｌａｎｋＹとが等しくなる）ように、入力される映像データ列に設定された一水平走査期間ＨｔｏｔａｌＸよりも、実際の出力における一水平走査期間ＨｔｏｔａｌＹを短くしている。【００９０】
具体的には、図７に示されるように、入力される映像データ列に設定された一水平走査期間ＨｔｏｔａｌＸ（２２００ｄｏｔ）＝入力される映像データ列に設定された水平表示期間ＨｄｉｓｐＸ（１９２０ｄｏｔ）＋入力される映像データ列に設定された水平帰線期間ＨｂｌａｎｋＸ（２８０ｄｏｔ）に対して、実際の出力における一水平走査期間ＨｔｏｔａｌＹを上記のようにＨｔｏｔａｌＸよりも少ない２０００ｄｏｔとし、その内訳を、実際の出力における水平表示期間ＨｄｉｓｐＹが１９２０ｄｏｔ、実際の出力における水平帰線期間ＨｂｌａｎｋＹが８０ｄｏｔとする。また、ダミー走査期間ＤｔｏｔａｌＹを上記のようにＨｔｏｔａｌＸよりも少ない２０００ｄｏｔとし、その内訳を、ダミー表示期間ＤｄｉｓｐＹが１９２０ｄｏｔ、ダミー帰線期間ＤｂｌａｎｋＹが８０ｄｏｔとする。【００９１】
図８は、２０映像データ（１本のソースラインに対応する映像データ）ごとに組としていくとともに各組の先頭および中途にそれぞれダミーデータを挿入し、走査信号線のインターレース走査に合わせて、データ（映像データ・ダミーデータ）の並び順に、該データに対応する信号電位の出力を行い、かつ、各映像データに対応する信号電位の出力には一水平期間を割り当てるとともにダミーデータに対応する信号電位の出力にはダミー走査期間を割り当て、組単位で信号電位の極性を反転させる場合（反転周期は、２ダミー走査期間＋２０水平走査期間）の、出力されるデータ列並びに各データの出力期間の関係について示している。なお、極性反転直後以外のダミー走査期間は、各種信号処理のタイミング調整等を目的として設けられる。【００９２】
この場合も、図８に示すように、実際の出力における一水平走査期間ＨｔｏｔａｌＹをＨｔｏｔａｌＸよりも少ない２０００ｄｏｔとし、また、ダミー走査期間ＤｔｏｔａｌＹをＨｔｏｔａｌＸよりも少ない２０００ｄｏｔとすれば、１フレームの垂直表示期間が変えることなく、ダミー走査期間を設けることができる。【００９３】
本液晶表示装置は、図１７のように構成してもよい。すなわち、図１６の構成に、ＣＳコントロール回路９０を加え、また、液晶パネル１００を画素分割（マルチ画素駆動）方式とする。ＣＳコントロール回路９０は、補助容量配線（保持容量配線；ＣＳ配線）に印加するＣＳ信号波形の位相および幅などを制御する回路であり、表示制御回路２００から出力されるゲートスタートパルス信号ＧＳＰ、ゲートクロック信号ＧＣＫ、データクロック信号ＳＣＫが入力される。【００９４】
なお図示しないが、画素分割の液晶パネル１００では、任意の画素Ｐｘに第１および第２の画素電極が設けられ、第１の画素電極に接続する容量電極と１本の保持容量配線Ｃｓｉとが保持容量を形成し、第２の画素電極に接続する容量電極と１本の保持容量配線Ｃｓｊとが保持容量を形成している。なお、画素Ｐｘには列方向に隣接する画素が２つ（画素ｐｙ，画素Ｐｚ）存在するが、画素Ｐｘおよび画素Ｐｙで保持容量配線Ｃｓｉを共有し、画素Ｐｘおよび画素Ｐｚで保持容量配線Ｃｓｊを共有している。画素Ｐｘの２つの画素電極にはゲートオンパルスが供給されている間に同じ信号電位が書き込まれるが、供給が停止した（ゲートＯＦＦとなった）後に保持容量配線Ｃｓｉ・Ｃｓｊに突き上げ・突き下げ電位（ＣＳ信号）が与えられるため、第１および第２の画素電極は異なる電位（実効電位）に制御される。【００９５】
図１５は図１７の液晶表示装置において、１組目は１０映像データ（１本のソースラインに対応する映像データ）を組として各組の先頭にダミーデータを１つ挿入するとともに２組目以降は２０映像データごとに組として各組の先頭にダミーデータを１つ挿入し、走査信号線のインターレース走査に合わせて、データ（映像データ・ダミーデータ）の並び順に、該データに対応する信号電位の出力を行い、かつ各映像データに対応する信号電位の出力には一水平期間を割り当てるとともにダミーデータに対応する信号電位の出力にはダミー走査期間を割り当てる場合の、出力されるデータ列（映像データ・ダミーデータ）および各データに対応する信号電位の波形と、ラッチストローブ信号ＬＳ、ゲートオンパルス（データ書き込みパルス）Ｐｗ、およびＣＳ信号のタイミングチャートとを示している。なお、同図中のＣＳ_Ａ・ＣＳ_Ｂ，ＣＳ_Ｂ・ＣＳ_Ｃ，ＣＳ_Ｃ・ＣＳ_Ｄ・・・は上記保持容量配線Ｃｓｉ・Ｃｓｊに対応する。【００９６】
この場合、入力される映像データ（図示せず）は、Ｎ行目のゲートラインに対応する映像データをＮとして、１，２，３，４，５，６，７，８，９，１０，１１，１２，１３，１４，１５，１６，・・・４３，４４，４５，４６，４７，４８，４９というように並んでいるが、並べ替え回路は、これら映像データを、１，３，５，７，９，１１，１３，１５，１７，１９，さらに、２，４，６，８，１０，１２，・・・３６，３８，４０，さらに、２１，２３，２５・・・４５，４７，４９，さらに、４２，４４・４６，４８・・・というように組にしていくとともに各組の先頭にダミーデータを挿入していく。これにより、出力されるデータ（映像データ・ダミーデータ）は、Ｎ行目のゲートラインに対応する映像データを<Ｎ>、ダミーデータを<Ｄ>として、<Ｄ>，<１>，<３>，<５>，<７>，<９>，<１１>，<１３>，<１５>，<１７>，<１９>，さらに、<Ｄ>，<２>，<４>，<６>，<８>，<１０>，<１２>・・・<３６>，<３８>，<４０>，さらに、<Ｄ>，<２１>，<２３>，<２５>，<２７>，・・・<４５>，<４７>，<４９>，さらに、<Ｄ>，<４２>，<４４>・・・という順序になり、<Ｄ>，<１>，<３>，<５>，・・・<１７>，<１９>の各データに対応するプラス極性の信号電位がこの順に１本のソースラインに出力され、ついで、<Ｄ>，<２>，<４>，<６>，・・・<３６>，<３８>，<４０>，の各データに対応するマイナス極性の信号電位がこの順に該ソースラインに出力され、ついで、<Ｄ>，<２１>，<２３>，<２５>，・・・<４７>，<４９>の各データに対応するプラス極性の信号電位がこの順に該ソースラインに出力され、ついで、<Ｄ>，<４２>，<４４>・・・の各データに対応するマイナス極性の信号電位がこの順に該ソースラインに出力される。【００９７】
なお、ダミーデータ<Ｄ>には、所望のデータを自由に設定することができる。例えば、挿入箇所直後の映像データと等しくしてもよいし、ソースラインの充電効果を高める観点から挿入直後の映像データより高い電圧に対応するデータを別途設定してもよい。【００９８】
この場合では、１組目については、実際の出力における一水平走査期間ＨｔｏｔａｌＹをＨｔｏｔａｌＸよりも少ない２０００ｄｏｔとし、ダミー走査期間ＤｔｏｔａｌＹをＨｔｏｔａｌＸよりも少ない２０００ｄｏｔとし、２組目以降については、例えば実際の出力における一水平走査期間ＨｔｏｔａｌＹをＨｔｏｔａｌＸよりも少ない２０９４ｄｏｔとし、ダミー走査期間ＤｔｏｔａｌＹをＨｔｏｔａｌＸよりも少ない２１２０ｄｏｔとすれば、１フレームの垂直表示期間が変えることなく、ダミー走査期間を設けることができる。【００９９】
以下に、図２１〜図２３を用いてデータの並べ替え方法について説明する。ここでは、一垂直走査期間ＶｔｏｔａｌＸが１１２５Ｈ、垂直表示期間ＶｄｉｓｐＸが１０８０Ｈ、垂直帰線期間が４５Ｈの例を示す。【０１００】
図２１は並べ替え回路を示す概略ブロック図である。図２２はデータの並べ変えの方法を説明するための模式図であり、図２３は図２２の点線で囲った部分の拡大図である。図２１に示すように、並べ替え回路５５０は、並べ替え制御回路５５２、奇数ライン用の並べ替え用メモリ５５４Ａ、および偶数ライン用の並べ替え用メモリ５５４Ｂを備えている。並べ替え回路５５０は、例えば図１７に示した表示制御回路２００内に設けられる。【０１０１】
並べ替え制御回路５５２には、表示すべき映像データと、映像データと同期する垂直同期信号および水平同期信号と、表示動作を制御するための制御信号とが入力される。並べ替え制御回路５５２は、入力された映像データをライン毎に奇数ラインと偶数ラインに分離し、それぞれの映像データを奇数ライン用の並べ替え用メモリ５５４Ａと偶数ライン用の並べ替え用メモリ５５４Ｂとに書き込んでいき、これを一定期間行った後、奇数ライン用の並べ替え用メモリ５５４Ａから映像データを連続して読み出し、これに続けて、偶数ライン用の並べ替え用メモリ５５４Ｂから映像データを読み出す。【０１０２】
このとき、並べ替え制御回路５５２は、各組のライン数に応じて映像データ数をカウントし、奇数・偶数ライン用の各並べ替え用メモリ５５４Ａおよび５５４Ｂから映像データを読み出すとともに、所定箇所（例えば、各組の先頭）にダミーデータ＜Ｄ＞を挿入する。なお、映像データを出力する一水平走査期間およびダミーデータを出力するダミー走査期間はそれぞれ、入力される映像データに設定された一水平走査期間（各映像データの入力間隔）よりも短く設定する。映像データの書き込み、読み出し順は、たとえば、あらかじめ用意した参照テーブルを用いることで所定の順序に行うようにしておく。こうすることで、１画面分の映像データを記憶するフレームメモリを使わず、並べ替え用メモリ５５４Ａ、５５４Ｂの規模を小さくできるとともに、映像データの入力出力の時間的なずれを抑制することができる。【０１０３】
例えば図２３に示すように、並べ替え制御回路５５２に、映像データ列（ａ）が入力されると、これを、奇数ライン用の並べ替え用メモリと偶数ライン用の並べ替え用メモリとに順次映像データを振り分けて書き込む。ここでは、少なくとも１１ライン以上の映像データを並べ替え用メモリに取り込んだ後に、順次入力される映像データを並べ替え用メモリに取り込む作業を継続したまま、奇数ライン用の並べ替え用メモリからの映像データの読み出しを開始する。また、簡単のため、ダミーデータ＜Ｄ＞を挿入箇所直後の映像データと一致させている。【０１０４】
具体的には、まず奇数ライン用の並べ替え用メモリから、１番目の映像データ（１番目のゲートラインに対応する映像データ）をダミーデータ＜Ｄ＞として読み出し、その後、１０ゲートライン分（１、３、５、・・・、１９ライン目に対応する）映像データを連続して読み出し、これを１組目とする。続いて、２番目の映像データ（２番目のゲートラインに対応する映像データ）をダミーデータ＜Ｄ＞として読み出し、その後、１０ゲートライン分（２、４、６、・・・、２０ライン目に対応する）の映像データを連続して読み出し、さらに、偶数ライン用の並べ替え用メモリから１０ライン分（２２、２４、２６、・・・、４０ライン目に対応する）の映像データを連続して読み出し、これを２組目とする。そして、再び、奇数ライン用の並べ替え用メモリから、２１番目の映像データ（２１番目のゲートラインに対応する映像データ）をダミーデータ＜Ｄ＞として読み出し、その後、１０ゲートライン分（２１、２３、２５、・・・、３９ライン目に対応する）映像データを連続して読み出し、これを３組目とする。この一連の動作を繰り返し行うように並べ替え制御回路５５２によって制御することで、最終行まで順次、並べ替え用メモリからの読み出しを行う。【０１０５】
なお、本例では、先頭のダミーデータ＜Ｄ＞（先頭となる１ライン目の映像データに等しいデータ）を垂直表示期間ＶｄｉｓｐＹに含めているが、この先頭のダミーデータ＜Ｄ＞については、前フレームの垂直帰線期間ＶｂｌａｎｋＹの最後に含めてもよい。【０１０６】
次に、上記各実施形態において、Ｍ個の映像データを１組とする場合に、１組にダミー走査期間（ダミーデータ）をいくつ設け、実際の出力における一水平走査期間ＨｔｏｔａｌＹおよびダミー走査期間ＤｔｏｔａｌＹの組み合わせをどのように算出するかについて説明する。なお、この算出工程は、上記のように表示制御回路２００（液晶パネル駆動装置）によって行われてもよい。この場合、所定のプログラムをコンピュータが実行することでこれを実現することもできる。【０１０７】
図９は上記組み合わせの算出法の一例を示すフローチャートである。同図に示されるように、まず極性反転周期Ｍ（１組の映像データ数）を取得する。そして、Ｓ１に進み、仮のダミー走査期間数ａ（１組のダミーデータ数）を１とする。ついで、Ｍとａとの和をＡとする（Ｓ２）。ついで、ＨｔｏｔａｌＸとＭとの積をＡで割ったものをＢとする（Ｓ３）。なお、極性反転周期Ｍ取得後、Ｓ１と並行して、極性反転周期Ｍでの充電特性に基づき、必要最小限のダミー走査期間数Ｃを決めておいてもよい。ここで、ＢがＨｄｉｓｐＸ以上か否かを判定し（Ｓ４）、ＹｅｓであればＳ７に進み、Ｎｏ（ＢがＨｄｉｓｐＸ未満）であればエンドとなる。Ｓ７ではＢが整数か否かを判定し、ＹｅｓであればＳ８に進み、ＮｏであればＳ５に進み、ａに１を加えてＳ２に戻る。Ｓ８では、ａが、Ｍにおける充電特性から得られる必要最小限のダミー走査期間数Ｃ以上か否かを判定し、ＹｅｓであればＳ９に進み、ＮｏであればＳ５に進む。Ｓ９では、ダミー走査期間数＝ａ、ＨｔｏｔａｌＹ＝ＤｔｏｔａｌＹ＝Ｂに決定し、エンドとなる。【０１０８】
上記の算出法を用いることで、例えば、Ｍ＝１０の場合は、ダミー走査期間数＝１、ＨｔｏｔａｌＹ＝ＤｔｏｔａｌＹ＝２０００ｄｏｔ、Ｍ＝３０の場合は、ダミー走査期間数＝３、ＨｔｏｔａｌＹ＝ＤｔｏｔａｌＹ＝２０００ｄｏｔ、Ｍ＝４０の場合は、ダミー走査期間数＝４、ＨｔｏｔａｌＹ＝ＤｔｏｔａｌＹ＝２０００ｄｏｔとなり、ＨｔｏｔａｌＹ＝ＤｔｏｔａｌＹとなる組み合わせを速やかに算出することができる。【０１０９】
ただ、上記算出法ではＭ＝２０の場合は算出できないため、以下の算出法を用いてもよい。これを図１０に示す。同図に示されるように、まず極性反転周期Ｍ（１組の映像データ数）を取得する。そして、Ｓ１０に進み、仮のダミー走査期間数ａ（１組のダミーデータ数）を１とする。ついで、Ｍとａとの和をＡ’とする（Ｓ１１）。ついで、ＨｔｏｔａｌＸとＭとの積をＡ’で割ったものをＢ’とする（Ｓ１２）。なお、極性反転周期Ｍ取得後、Ｓ１と並行して、極性反転周期Ｍでの充電特性に基づき、必要最小限のダミー走査期間数Ｃを決めておいてもよい。ここで、Ｂ’がＨｄｉｓｐＸ以上か否かを判定し（Ｓ１４）、ＹｅｓであればＳ１５に進み、Ｎｏ（Ｂ’がＨｄｉｓｐＸ未満）であればＳ２１に進む。Ｓ１５ではＢ’の小数点以下を切り捨てた整数をＤとする。ついで、ＤとＡ’との積をＥとし（Ｓ１６）、ついで、ＨｔｏｔａｌＸとＭとの積からＥを引いたものをＰとし、Ｐをａで割ったものをＦとする（Ｓ１７）。ここで、Ｆが整数か否かを判定し（Ｓ１８）、整数であればＳ１９に進み、整数でなければＳ１３に進み、ａに１を加えてＳ１１に戻る。Ｓ１９では、ａが、Ｍにおける充電特性から得られる必要最小限のダミー走査期間数Ｃ以上か否かを判定し、ＹｅｓであればＳ２０に進み、ＮｏであればＳ１３に戻る。Ｓ２０ではダミー走査期間数＝ａ、ＨｔｏｔａｌＹ＝Ｄ、ＤｔｏｔａｌＹ＝Ｄ＋Ｆとして保存し、その後Ｓ１３に戻る。また、Ｓ２１では、保存された組み合わせがあるか否かを判定し、ＹｅｓであればＳ２２に進み、Ｎｏであれば、Ｓ２３に進んで再計算（後述）を行う。Ｓ２２では、保存された組み合わせから１つを選択し、エンドとなる。【０１１０】
Ｓ２３の再計算では、Ｃ（Ｍにおける充電特性から得られる必要最小限のダミー走査期間数）を用い、ＨｔｏｔａｌＸ（２２００）×Ｍ＝Ｍ×α＋Ｃ×βを満たすα、βを求め、ダミー走査期間数＝Ｃ、ＨｔｏｔａｌＹ＝α、ＤｔｏｔａｌＹ＝βとする。【０１１１】
図１０のフローチャートによる算出結果を図１１に示す。同図に示されるように、Ｍ＝３０の場合は、ダミー走査期間数＝１、ＨｔｏｔａｌＹ＝２１２９、ＤｔｏｔａｌＹ＝２１３０の組み合わせと、ダミー走査期間数＝２、ＨｔｏｔａｌＹ＝２０６２、ＤｔｏｔａｌＹ＝２０７０の組み合わせと、ダミー走査期間数＝３、ＨｔｏｔａｌＹ＝２０００、ＤｔｏｔａｌＹ＝２０００の組み合わせが求められる。また、Ｍ＝４０の場合は、ダミー走査期間数＝１、ＨｔｏｔａｌＹ＝２１４６、ＤｔｏｔａｌＹ＝２１６０の組み合わせと、ダミー走査期間数＝２、ＨｔｏｔａｌＹ＝２０９５、ＤｔｏｔａｌＹ＝２１００の組み合わせと、ダミー走査期間数＝４、ＨｔｏｔａｌＹ＝２０００、ＤｔｏｔａｌＹ＝２０００の組み合わせと、ダミー走査期間数＝５、ＨｔｏｔａｌＹ＝１９５５、ＤｔｏｔａｌＹ＝１９６０の組み合わせとが求められ、この中から１つが選択される。【０１１２】
なお、図１０の算出法では、例えば、Ｍ＝４０でダミー走査期間数ａ＝３の場合は算出されないため、このような場合（ダミー走査期間数が予め決定している場合）に上記の再計算を行ってもよい。図１２はＭ＝４０、ダミー走査期間数＝３の場合の、再計算の結果である。同図に示されるように、この場合は７つの組み合わせが得られ、この中から１つ（例えば、Ｍ＝４０、ダミー走査期間数＝３、ＨｔｏｔａｌＹ＝２０４４、ＤｔｏｔａｌＹ＝２０８０の組み合わせ）が選択される。【０１１３】
次に、本液晶表示装置をテレビジョン受信機に適用するときの一構成例について説明する。図１８は、テレビジョン受信機用の液晶表示装置８００の構成を示すブロック図である。液晶表示装置８００は、液晶表示ユニット８４と、Ｙ／Ｃ分離回路８０と、ビデオクロマ回路８１と、Ａ／Ｄコンバータ８２と、液晶コントローラ８３と、バックライト駆動回路８５と、バックライト８６と、マイコン（マイクロコンピュータ）７８と、階調回路８８とを備えている。なお、液晶表示ユニット８４は、液晶パネルと、これを駆動するためのソースドライバおよびゲートドライバとで構成される。また、図１６・１７の液晶表示装置は、液晶表示ユニット８４、バックライト駆動回路８５、およびバックライト８６に加え、マイコン７８および液晶コントローラ８３の全部または一部を含んで構成されている。【０１１４】
上記構成の液晶表示装置８００では、まず、テレビジョン信号としての複合カラー映像信号Ｓｃｖが外部からＹ／Ｃ分離回路８０に入力され、そこで輝度信号と色信号に分離される。これらの輝度信号と色信号は、ビデオクロマ回路８１にて光の３原色に対応するアナログＲＧＢ信号に変換され、さらに、このアナログＲＧＢ信号はＡ／Ｄコンバータ８２により、デジタルＲＧＢ信号に変換される。このデジタルＲＧＢ信号は液晶コントローラ８３に入力される。また、Ｙ／Ｃ分離回路８０では、外部から入力された複合カラー映像信号Ｓｃｖから水平および垂直同期信号も取り出され、これらの同期信号もマイコン７８を介して液晶コントローラ８３に入力される。【０１１５】
液晶表示ユニット８４には、液晶コントローラ８３からデジタルＲＧＢ信号が、上記同期信号に基づくタイミング信号と共に所定のタイミングで入力される。また、階調回路８８では、カラー表示の３原色Ｒ，Ｇ，Ｂそれぞれの階調電圧が生成され、それらの階調電圧も液晶表示ユニット８４に供給される。液晶表示ユニット８４では、これらのＲＧＢ信号、タイミング信号および階調電圧に基づき内部のソースドライバやゲートドライバ等により駆動用信号（データ信号＝信号電位、走査信号等）が生成され、それらの駆動用信号に基づき、内部の液晶パネルにカラー画像が表示される。なお、この液晶表示ユニット８４によって画像を表示するには、液晶表示ユニット内の液晶パネルの後方から光を照射する必要があり、この液晶表示装置８００では、マイコン７８の制御の下にバックライト駆動回路８５がバックライト８６を駆動することにより、液晶パネルの裏面に光が照射される。【０１１６】
上記の処理を含め、システム全体の制御はマイコン７８が行う。なお、外部から入力される映像信号（複合カラー映像信号）としては、テレビジョン放送に基づく映像信号のみならず、カメラにより撮像された映像信号や、インターネット回線を介して供給される映像信号なども使用可能であり、この液晶表示装置８００では、様々な映像信号に基づいた画像表示が可能である。【０１１７】
液晶表示装置８００でテレビジョン放送に基づく画像を表示する場合には、図１９に示すように、液晶表示装置８００にチューナー部９８が接続され、これによって本テレビジョン受像機６０１が構成される。このチューナー部９８は、アンテナ（不図示）で受信した受信波（高周波信号）の中から受信すべきチャンネルの信号を抜き出して中間周波信号に変換し、この中間周波数信号を検波することによってテレビジョン信号としての複合カラー映像信号Ｓｃｖを取り出す。この複合カラー映像信号Ｓｃｖは、既述のように液晶表示装置８００に入力され、この複合カラー映像信号Ｓｃｖに基づく画像が液晶表示装置８００によって表示される。【０１１８】
図２０は、本テレビジョン受像機の一構成例を示す分解斜視図である。同図に示すように、本テレビジョン受像機６０１は、その構成要素として、液晶表示装置８００の他に第１筐体８０１および第２筐体８０６を有しており、液晶表示装置８００を第１筐体８０１と第２筐体８０６とで包み込むようにして挟持した構成となっている。第１筐体８０１には、液晶表示装置８００で表示される画像を透過させる開口部８０１ａが形成されている。また、第２筐体８０６は、液晶表示装置８００の背面側を覆うものであり、該液晶表示装置８００を操作するための操作用回路８０５が設けられると共に、下方に支持用部材８０８が取り付けられている。【０１１９】
本発明は上記実施の形態に限定されるものではなく、上記実施の形態を技術常識に基づいて適宜変更したものやそれらを組み合わせて得られるものも本発明の実施の形態に含まれる。
【産業上の利用可能性】
【０１２０】
本発明の液晶パネル駆動装置は、例えば液晶テレビに好適である。
【図１】
2008152857.tif 000003
【図２】
2008152857.tif 000004
【図３】
2008152857.tif 000005
【図４】
2008152857.tif 000006
【図５】
2008152857.tif 000007
【図６】
2008152857.tif 000008
【図７】
2008152857.tif 000009
【図８】
2008152857.tif 000010
【図９】
2008152857.tif 000011
【図１０】
2008152857.tif 000012
【図１１】
2008152857.tif 000013
【図１２】
2008152857.tif 000014
【図１３】
2008152857.tif 000015
【図１４】
2008152857.tif 000016
【図１５】
2008152857.tif 000017
【図１６】
2008152857.tif 000018
【図１７】
2008152857.tif 000019
【図１８】
2008152857.tif 000020
【図１９】
2008152857.tif 000021
【図２０】
2008152857.tif 000022
【図２１】
2008152857.tif 000023
【図２２】
2008152857.tif 000024
【図２３】
2008152857.tif 000025
【図２４】
2008152857.tif 000026
【手続補正書】
【提出日】平成21年9月14日(2009.9.14)
【手続補正２】
【補正対象書類名】特許請求の範囲
【補正対象項目名】全文
【補正方法】変更
【補正の内容】
【特許請求の範囲】
【請求項１】
１本のデータ信号線に対応する映像データが間隔をおいて順次入力される液晶パネル駆動装置であって、
複数の映像データごとに組とし、各組の所定の映像データに対応する信号電位の出力に、一水平走査期間に加えて１以上のダミー走査期間を割り当て、同組のその他の各映像データに対応する信号電位の出力に一水平走査期間を割り当て、
上記一水平走査期間を上記間隔よりも短く設定することを特徴とする液晶パネル駆動装置。
【請求項２】
１つの組の映像データ数と上記間隔との積が、該組における上記所定の映像データに割り当てられた総水平走査期間と上記所定の映像データに割り当てられた総ダミー走査期間と上記その他の映像データに割り当てられた総水平走査期間との和に等しいことを特徴とする請求項１記載の液晶パネル駆動装置。
【請求項３】
上記各組の所定の映像データは、各組の最初の映像データであることを特徴とする請求項１または２に記載の液晶パネル駆動装置。
【請求項４】
１つの組の各映像データに対応する信号電位の極性はすべて同一であって、これが第１の極性であれば、次の組の各映像データに対応する信号電位の極性はすべて第２の極性であることを特徴とする請求項１〜３のいずれか１項に記載の液晶パネル駆動装置。
【請求項５】
上記映像データに対応する信号電位を、該映像データに対応する走査信号線の走査に合わせて出力し、各組の映像データの並びに従って走査信号線を順次走査することを特徴とする請求項１〜４のいずれか１項に記載の液晶パネル駆動装置。
【請求項６】
上記映像データに対応する信号電位を、該映像データに対応する走査信号線の走査に合わせて出力し、各組の映像データの並びに従って走査信号線を飛び越し走査することを特徴とする請求項１〜４のいずれか１項に記載の液晶パネル駆動装置。
【請求項７】
上記各組の所定の映像データには、各組の最初の映像データに加え、それ以外の映像データも含まれていることを特徴とする請求項１または２に記載の液晶パネル駆動装置。
【請求項８】
１本のデータ信号線に対応する映像データが間隔をおいて順次入力される液晶表示装置を駆動するための、液晶表示装置の駆動方法であって、
複数の映像データごとに組とし、各組の所定の映像データに対応する信号電位の出力に、一水平走査期間に加えて１以上のダミー走査期間を割り当て、同組のその他の各映像データに対応する信号電位の出力に一水平走査期間を割り当て、上記一水平走査期間を上記間隔よりも短く設定することを特徴とする液晶表示装置の駆動方法。
【請求項９】
１つの組における上記所定の映像データに割り当てられた総水平走査期間と上記所定の映像データに割り当てられた総ダミー走査期間と上記その他の映像データに割り当てられた総水平走査期間との和を、該組における映像データ数と上記間隔との積に一致させることを特徴とする請求項８記載の液晶表示装置の駆動方法。
【請求項１０】
１本のデータ信号線に対応する映像データが順次入力される液晶パネル駆動装置であって、一定期間に入力される複数の映像データを出力順に並べるとともに所定箇所にダミーデータを挿入してデータ列とし、１つの映像データの出力に一水平走査期間を割り当てるとともに、１つのダミーデータの出力にダミー走査期間を割り当て、上記一水平走査期間を映像データの入力間隔よりも短く設定することを特徴とする液晶パネル駆動装置。
【請求項１１】
上記一定期間は、上記データ列に含まれる映像データの数と一水平走査期間との積に、該データ列に含まれるダミーデータの数とダミー走査期間との積を加えたものに等しいことを特徴とする請求項１０記載の液晶パネル駆動装置。
【請求項１２】
上記一定期間は、一垂直走査期間から垂直ブランキング期間を除いた期間に等しいことを特徴とする請求項１０または１１記載の液晶パネル駆動装置。
【請求項１３】
上記データ列は時系列に沿って並ぶ複数の組からなり、各組にはダミーデータを先頭として複数の映像データが並び、連続する２つの組の一方に含まれるダミーデータおよび映像データに対応する信号電位が第１極性、他方に含まれるダミーデータおよび映像データに対応する信号電位が第２極性となっていることを特徴とする請求項１０〜１２のいずれか１項に記載の液晶パネル駆動装置。
【請求項１４】
上記出力順は、走査信号線の順次走査あるいは飛び越し走査に対応したものであることを特徴とする請求項１０〜１３のいずれか１項に記載の液晶パネル駆動装置。
【請求項１５】
映像データに対応する信号電位を、該映像データに対応する走査信号線の走査に合わせて上記データ信号線に出力し、ダミーデータに対応する信号電位を、その直前の映像データに対応する走査信号線の走査とその直後の映像データに対応する走査信号線の走査との間に上記データ信号線に出力することを特徴とする請求項１３に記載の液晶パネル駆動装置。
【請求項１６】
１本のデータ信号線に対応する映像データが間隔をおいて順次入力される液晶表示装置を駆動するための、液晶表示装置の駆動方法であって、
複数の映像データごとに組とするとともに該組内の所定箇所にダミーデータを挿入し、ダミーデータに対応する信号電位の出力にダミー走査期間を割り当て、各映像データに対応する信号電位の出力に一水平走査期間を割り当て、上記一水平走査期間を上記間隔よりも短く設定することを特徴とする液晶表示装置の駆動方法。
【請求項１７】
１つの組において上記ダミーデータに割り当てられた総ダミー走査期間と上記映像データに割り当てられた総水平走査期間との和を、該組における映像データ数と上記間隔との積に一致させることを特徴とする請求項１６記載の液晶表示装置の駆動方法。
【請求項１８】
１本のデータ信号線に対応する映像データが順次入力される液晶表示装置を駆動するための、液晶表示装置の駆動方法であって、一定期間に入力される複数の映像データを出力順に並べるとともに所定箇所にダミーデータを挿入してデータ列とし、１つの映像データの出力に一水平走査期間を割り当てるとともに、１つのダミーデータの出力にダミー走査期間を割り当て、上記一水平走査期間を映像データの入力間隔よりも短く設定することを特徴とする液晶表示装置の駆動方法。
【請求項１９】
上記一定期間を、上記データ列に含まれる映像データの数と一水平走査期間との積に該データ列に含まれるダミーデータの数とダミー走査期間との積を加えたものに等しくすることを特徴とする請求項１８記載の液晶表示装置の駆動方法。
【国際調査報告】
2008152857.tif 000027
2008152857.tif 000028
2008152857.tif 000029
2008152857.tif 000030
2008152857.tif 000031
2008152857.tif 000032